(57)【要約】【課題】本発明は、音楽ホール等で演奏を行えるだけのきれいな音色と音量を備えた大正琴を提供することを目的とするものである。【解決手段】大正琴１は、共鳴胴２の一方の端部側の側面に支持部５固定されており、他方の端部側に下駒８及び手置き台４が固定されている。そして、ユニット体３は、一方の端部側が支持部５の上面に密着して固定され、他方の端部側が共鳴胴２の上方に延設されている。そして、ユニット体３の下面と共鳴胴２の上面との間には所定の間隔の間隙が形成されて両者は離間した状態となっている。共鳴胴２は、ユニット体３の両側に膨らんだ形状に形成され、ユニット体３には、糸巻部３２、上駒３３及び鍵キー作動機構３４が設けられている。【選択図】図１
2006330014.tif 000002
【特許請求の範囲】
【請求項１】
一方の端部側に糸巻部を設けるとともに上駒、指板部及び鍵キー作動機構が上面に配置固定されたユニット体と、一方の端部側に前記ユニット体を載置固定する支持部を設けるとともに他方の端部側に下駒及び弦係止部材を設けた共鳴胴と、前記弦係止部材に一方の端部を係止固定されて他方の端部側を前記糸巻部で巻回され前記上駒及び下駒の間に張設して配列された複数の弦とを備え、前記共鳴胴は、前記弦の配列方向において前記ユニット体の両側に膨らむように幅が大きく設定されており、前記ユニット体は、他方の端部が前記下駒と所定の間隔だけ空けて設定されるように前記共鳴胴の上方に延設されるとともにその下面は前記弦の張設方向において前記共鳴胴の全長の半分を超える位置まで前記共鳴胴から離間していることを特徴とする大正琴。
【請求項２】
前記共鳴胴は、前記弦の配列方向において前記ユニット体の両側に同じ形状に膨らむように形成されていることを特徴とする請求項１に記載の大正琴。
【請求項３】
前記ユニット体は、前記共鳴胴から離間した部分において両側部が中心部よりも厚さが厚くなるように下面が湾曲形成されていることを特徴とする請求項１又は２に記載の大正琴。
【請求項４】
前記下駒から前記弦係止部材までの前記弦を覆うように設けられるとともに前記共鳴胴の側面に一方の端部が固定された手置き台を備えていることを特徴とする請求項１から３のいずれかに記載の大正琴。
【発明の詳細な説明】
【技術分野】
【０００１】
本発明は、大正琴に関する。
【背景技術】
【０００２】
従来の大正琴は、直方体状の共鳴胴本体の上面の一端側に弦の一端を巻回する糸巻装置及び弦を支持する上駒を設け、上面の他端側に弦の他端を係止する弦係止部材及び弦を支持する下駒を設け、上駒と下駒との間に張設した弦の張力を糸巻装置により調節して所定の音（例えばＧ音）に調律し、下駒に近い演奏位置においてピック（義甲）で撥弦することにより、音を発生させるようにしている。そして、上駒と下駒との間に張設した弦の下方には所定位置にフレットが設けられた指板が配設されており、鍵キーを押下して指板に弦を圧接することで、所定の音階が発音するようになっている。
【０００３】
こうした従来の大正琴では、撥弦により発生する音をきれいな音色で大きく響かせるための改良工夫がなされている。例えば、特許文献１では、フレット板の下面に枕木片を複数本設けてフレット板を共鳴胴表面から離間して固設した点が記載されている。また、特許文献２では、フレット板を共鳴胴の上板から分離するために防振材料からなるフレット板支持部材を介してフレット板を支持するようにした点が記載されている。
【特許文献１】実開平１−１１３２９５号公報
【特許文献２】特開平８−２２１０５６号公報
【発明の開示】
【発明が解決しようとする課題】
【０００４】
上述した特許文献では、共鳴胴の上板の振動を妨げないようにフレット板を上板から離間させるようにしているが、枕木片やフレット支持部材が共鳴胴に固定されているため、フレット板が上板から完全に離間しておらず上板の振動が依然として十分に行われていない。
【０００５】
また、従来の大正琴は、明治維新以降の音楽教育において洋楽を取り入れて普及させるため主に教育目的の楽器として開発されてきたもので、音楽ホール等の広い会場で演奏するための楽器として改良がほとんど行われてきていない。そのため、音楽ホール等で演奏するために大正琴にピックアップやアンプ等の装置を取り付けて、演奏した音を電気的に大きくして演奏を行っているのが現状である。
【０００６】
そこで、本発明は、音楽ホール等で演奏を行えるだけのきれいな音色と音量を備えた大正琴を提供することを目的とするものである。
【課題を解決するための手段】
【０００７】
本発明に係る大正琴は、一方の端部側に糸巻部を設けるとともに上駒、指板部及び鍵キー作動機構が上面に配置固定されたユニット体と、一方の端部側に前記ユニット体を載置固定する支持部を設けるとともに他方の端部側に下駒及び弦係止部材を設けた共鳴胴と、前記弦係止部材に一方の端部を係止固定されて他方の端部側を前記糸巻部で巻回され前記上駒及び下駒の間に張設して配列された複数の弦とを備え、前記共鳴胴は、前記弦の配列方向において前記ユニット体の両側に膨らむように幅が大きく設定されており、前記ユニット体は、他方の端部が前記下駒と所定の間隔だけ空けて設定されるように前記共鳴胴の上方に延設されるとともにその下面は前記弦の張設方向において前記共鳴胴の全長の半分を超える位置まで前記共鳴胴から離間していることを特徴とする。さらに、前記共鳴胴は、前記弦の配列方向において前記ユニット体の両側に同じ形状に膨らむように形成されていることを特徴とする。さらに、前記ユニット体は、前記共鳴胴から離間した部分において両側部が中心部よりも厚さが厚くなるように下面が湾曲形成されていることを特徴とする。さらに、前記下駒から前記弦係止部材までの前記弦を覆うように設けられるとともに前記共鳴胴の側面に一方の端部が固定された手置き台を備えていることを特徴とする。
【発明の効果】
【０００８】
上記のような構成を有することで、糸巻部、上駒、指板部及び鍵キー作動機構をユニット化してユニット体とし、ユニット体を共鳴胴の一方の端部側に設けた支持部に載置固定してその下面を共鳴胴から離間して設置しているので、共鳴胴に接触して振動を妨げるものを極力排除することが可能となり、共鳴胴からのきれいな音色を大きくかつ長く響かせることができる。
【０００９】
そして、ユニット体は、他方の端部が下駒と所定の間隔だけ空けて設定されるように共鳴胴の上方に延設されるとともにその下面は弦の張設方向において共鳴胴の全長の半分を超える位置まで共鳴胴から離間するようにすれば、弦の張設方向に共鳴胴を大きく設定することができる。すなわち、開放弦の音の高さにより下駒と上駒との間の長さは決まってくるため、共鳴胴を大きく設定するためにはユニット体の下方に拡大していく必要があるが、本発明の場合には、上述したようにユニット化されているため共鳴胴を容易に拡大することができる。そして、ユニット体の下面を弦の張設方向において共鳴胴の全長の半分を超える位置まで離間しておけば、共鳴胴の振動への影響を抑えることができる。
【００１０】
また、共鳴胴の幅を弦の配列方向においてユニット体の両側に膨らむように大きく設定することで、音楽ホール等での演奏に耐えるだけの豊かな音色と音量を発生させることが可能となる。従来の大正琴のように、直方体状で細長い共鳴胴では、音量を大きくしようとすると弦を強く弾かなければならず、そのため雑音が混じって音色が悪くなるが、本発明のように構成することで、共鳴胴により音量が大きくなるため音色を重視した細やかな演奏ができるようになる。
【００１１】
そして、ユニット体の下面を、共鳴胴から離間した部分において両側部が中心部よりも厚さが厚くなるように湾曲形成することで、ユニット体の強度が向上し鍵キー作動機構で鍵キーを押下してもユニット体が撓む等の変形が抑えられる。特に、ユニット体に搭載された鍵キー作動機構は重量が重く、それを十分支持することができる補強を行う必要がある。
【００１２】
また、下駒から弦係止部材までの弦を覆うように設けられるとともに共鳴胴の側面に一方の端部が固定された手置き台を備えることで、ピックを持つ手を手置き台に置くため共鳴胴に手が接触することがなく、さらに手置き台が共鳴胴の側面に固定されるため共鳴胴の上面の振動が影響を受けることがない。
【発明を実施するための最良の形態】
【００１３】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１４】
図１及び図２は、本発明に係る実施形態に関する平面図及び側面図を示している。大正琴１は、共鳴胴２の一方の端部側の側面に支持部５が固定されており、他方の端部側に手置き台４が固定されている。そして、ユニット体３は、一方の端部側が支持部５の上面に密着して固定され、他方の端部側が共鳴胴２の上方に延設されている。そして、ユニット体３の下面と共鳴胴２の上面との間には所定の間隔の間隙６が形成されて両者は離間した状態となっている。
【００１５】
共鳴胴２は、上板２ａ及び下板２ｂが徳利状に膨らんだ形状に形成されており、上板２ａ及び下板２ｂの周縁部に所定幅の側板２ｃが接着されている。上板２ａ、下板２ｂ及び側板２ｃは、木製の薄板からなり、側板２ｃは、上板２ａ及び下板２ｂの膨らんだ周縁に合せて湾曲形成されている。したがって、共鳴胴２の内部は上板２ａ及び２ｂの外形状に沿った空洞が形成されている。上板２ａ及び下板２ｂの形状は、膨らんだ形状であれば、徳利状以外の形状、例えば菱形や瓢箪状でもよく、表面積が大きいほど共鳴による音量を豊かにすることができる。
【００１６】
ユニット体３は、厚みのある木製の矩形状基台３０の一方の端部側に矩形状の開口部３１を形成し、開口部３１内に糸巻部３２を設置固定している。糸巻部３２は、公知のものと同様のものを用いることができ、３本の弦７の一方の端部をそれぞれ巻付バーに巻回して巻付バーを摘み部により回転させることで弦７に与える張力を調節する。糸巻部３２に隣接して上駒３３及び鍵キー作動機構３４が順次基台３０の上面に配置固定されている。  鍵キー作動機構３４は、弦７の張設方向に複数の鍵キー３５が配列されており、これらの鍵キー３５は、弦の張設方向に延設されたキー支持部３６に上下動可能に支持されている。キー支持部３６は、天板３７の下面に固定され、天板３７の長手方向の両端部が基台３０に立設する一対の取付部材３８により所定の高さに固定される。そして、キー支持部３６の下方には、弦７を挟んで帯状の指板３９が対向するように基台３０の上面に接着固定されている。キー支持部３６に支持された鍵キー３５は、弦７に接触しない位置に保持されているが、鍵キー３５を押下することで、鍵キー３５と指板３９との間に弦７が圧接挟持されるようになる。指板３９上には、弦７が所定の音の高さで振動する弦長（下駒８を起点とした長さ）となる位置にフレットが複数突設されており、鍵キー３５の指板３９上の圧接位置は、これらのフレットの間に位置決めされている。そのため、鍵キー３５を押下すると弦７が圧接された状態となり、対応するフレットの弦長に基づく音を奏することができる。こうした鍵キー作動機構の構造は公知のものと同様である。
【００１７】
共鳴胴２に固定された支持部５は、木製でＬ字状に形成されており、その上面は共鳴胴２の上板２ａと面一となるように設定されている。そして、支持部５の上面には、糸巻部３２が配設された基台３０の下面が接着固定されている。
【００１８】
ユニット体３の他方の端部から所定間隔を空けた位置に下駒８が共鳴胴２の上板２ａの上面に載置されており、糸巻部３２に一方の端部を巻回された弦７が上駒３３の上端に係合して鍵キー作動機構３４内を通り下駒８の上端に係合している。そして、下駒８に係合された弦７の他方の端部は、手置き台４の根元部分において共鳴胴２の側面に固定された弦係止部材に係止されている。
【００１９】
したがって、３本の弦７は、上駒３３と下駒８との間に互いに平行で等間隔に配列される。そして、ユニット体３と下駒８との間の演奏位置においてピックにより弦７を弾くことで発音するようになる。共鳴胴２の上板２ａには、演奏位置を囲むように三日月状の響口２０ａ及び２０ｂが穿設されており、共鳴胴２の振動から発する音の音色を豊かなものにする。響口の形状は、三日月状に限定されることはなく共鳴胴２の音響特性に応じて適宜変更すればよい。
【００２０】
手置き台４は、木製の板状体で根元部分が折れ曲がるように形成されており、先端が下駒８に近接した位置まで延設されている。そして、根元部分が共鳴胴２の側面に固定されている。また、根元部分には、矩形状の開口部が形成されて上述した弦係止部材が配置されている。
【００２１】
図３及び図４は、それぞれ図１のＡ−Ａ断面図及びＢ−Ｂ断面図である。共鳴胴２の内部には、下駒８の設定位置の直下に棒状の魂柱２１が配設されている。魂柱２１は、上板２ａの下面に接着固定された補強バー２２と下板２ｂの上面に接着固定された補強バー２３との間に圧接されて保持されている。魂柱２１を設けることで、弦７の振動が下駒８から上板２ａ及び下板２ｂに伝搬して共鳴胴２全体が振動してより豊かな音量と音色を奏するようになる。
【００２２】
共鳴胴２の上板２ａと基台３０との間には、基台３０の下面を所定の厚さだけ削除して間隙６が形成されている。間隙６を形成する範囲は、弦７の張設方向の共鳴胴２の全長をＬとすると、間隙６が形成された範囲までの長さｄがＬ／２を超えるように設定するとよい。このように間隙６の形成範囲を設定することで、共鳴胴２が基台３０から受ける影響を抑えて十分な振動を行うことができる。さらに、好ましくは、黄金比の比率（Ｌ／ｄ＝１．６１８・・・）とすれば共鳴胴２の共振を十分行うことができる。また、基台３０の強度が十分得られる場合には、共鳴胴２の全長にわたって間隙６を形成するようにしてもよい。
【００２３】
図３に示すように、手置き台４は、弦７を覆う部分がわずかに湾曲形成されて演奏の際の手の動きをスムーズに行えるようにしており、根元部分の開口部には弦係止部材９が設けられている。
【００２４】
図４に示すように、鍵キー作動機構３４のキー支持部３６は、鍵キー３５の作動バー３５ａの基端部を回動可能に支持する軸支部３６ａと作動バー３５ａをガイドするガイド部３６ｂを備えており、軸支部３６ａでは、コイルバネ等により作動バー３５ａが上方に位置するように付勢されている。そして、ガイド部３６ｂでは、作動バー３５ａの上下方向の移動を案内するガイド溝が形成されている。したがって、鍵キー３５の鍵ボタン３５ｂに指を置いて押下すれば、作動バー３５ａが下降して指板３９上に弦７を圧接するようになる。
【００２５】
天板３７と基台３０との間には、鍵キー３５が配列された側とは反対側に木製の補強板４０が天板３７の長手方向にわたって接着固定されている。また、基台３０の下面には、間隙６が形成されている部分では、両側部分３０ａの厚さが中心部３０ｂの厚さよりも厚くなるようにアーチ状に湾曲形成されており、鍵キー作動機構３４の重量を支持するためや鍵キー３５を押下した場合等演奏時の圧力にも基台３０が変形しないように強度向上が図られている。
【００２６】
ユニット体３の強度を向上させるためには、図５のユニット体３の断面図に示すように、指板３９の長手方向の全長にわたって囲むように金属製補強板４１を設けたり、補強板４０にさらに金属製の補強板４２を設けるとよい。このような補強を行うことで、ユニット体３及び共鳴胴２を間隙６で離間した構造でも安定した状態で演奏を行うことができる。
【００２７】
以上のように、本発明に係る大正琴は、共鳴胴２からユニット体３及び手置き台４を離間した構造とすることで共鳴胴２の振動を妨げることなく、また共鳴胴２を大きくすることでより豊かな音色と音量を得ることができ、音楽ホール等での演奏に用いる楽器として好適である。
【図面の簡単な説明】
【００２８】
【図１】本発明に係る実施形態に関する平面図である。
【図２】本発明に係る実施形態に関する側面図である。
【図３】図１のＡ−Ａ断面図である。
【図４】図１のＢ−Ｂ断面図である。
【図５】ユニット体の断面図である。
【符号の説明】
【００２９】
１    大正琴
２    共鳴胴
３    ユニット体
４    手置き台
５    支持部
６    間隙
７    弦
８    下駒
９    弦係止部材
30    基台
32    糸巻部
33    上駒
34    鍵キー作動機構
39    指板
【図１】
2006330014.tif 000003
【図２】
2006330014.tif 000004
【図３】
2006330014.tif 000005
【図４】
2006330014.tif 000006
【図５】
2006330014.tif 000007